(57)【要約】【課題】オートバイの積載や、車体を便利に移動又は方向転換し易いオートバイの移動サポート装置を提供する。【解決手段】本考案は、積載ユニット本体１１とストッパー１２とを備えるオートバイの移動サポート装置１であって、該積載ユニット本体１１は、中央に窪み１１１が形成される略Ｕ字形のプレートであり、上部に外側へ延伸する複数の本体延伸部１１２が形成され、各本体延伸部１１２の下側にローラー１１３が設けられ、該ストッパー１２が該積載ユニット本体１１における窪み１１１の一側に形成されると共に、中央に切欠部１２１が形成されることを特徴とする。【選択図】図１
0003154686.tif 000002
【実用新案登録請求の範囲】
【請求項１】
積載ユニット本体とストッパーとを備えるオートバイの移動サポート装置であって、
前記積載ユニット本体は、中央に窪みが形成される略Ｕ字形のプレートであり、上部に外側へ延伸する複数の本体延伸部が形成され、各本体延伸部の下側にローラーが設けられ、
前記ストッパーは、該積載ユニット本体における窪みの一側に形成されると共に、中央に切欠部が形成されることを特徴とする、オートバイの移動サポート装置。
【請求項２】
前記積載ユニット本体の前記窪みの底部には、積載プレートが設けられることを特徴とする、請求項１に記載のオートバイの移動サポート装置。
【請求項３】
前記ストッパーの上縁には、前記切欠部の両側に位置する水平のストッパー延伸部が設けられることを特徴とする、請求項１又は２に記載のオートバイの移動サポート装置。
【請求項４】
前記切欠部には、保護カバーが設けられることを特徴とする、請求項３に記載のオートバイの移動サポート装置。
【請求項５】
前記保護カバーは、Ｕ字形構造であり、その外側に内部へ窪む凹部が形成されることを特徴とする、請求項４に記載のオートバイの移動サポート装置。
【考案の詳細な説明】
【技術分野】
【０００１】
本考案は、特にオートバイの積載や、車体を便利に移動又は方向転換し易いオートバイの移動サポート装置に関するものである。
【背景技術】
【０００２】
オートバイは、日常によく使用される交通工具であり、その種類は、軽型オートバイと重型オートバイがあり、又、重型オートバイは、一般の重型オートバイと大型の重型オートバイがある。
【０００３】
又、重型オートバイ又は軽型オートバイに係わらず、その人工移動の過程は、かなりの力が必要で、例えば排気量が１５０ＣＣの重型オートバイでは、その体積や重量に一定の値があるので、該オートバイの移動のために、より大きい力が必要である。例えば女性がこのようなオートバイを使用する場合、力があまり無いので、車体を移動する時、非常に不便である。
【０００４】
又、大型の重型オートバイを展覧会又は商店で展示する場合、そのオートバイの展示方向や展示位置を常に変換する必要があるが、このようなオートバイの重量は、かなり大きいため、オートバイの展示方向や展示位置を変換することが非常に不便である。
【０００５】
また、本考案者は、前記問題を解決するため、台湾実用新案登録第Ｍ３４３６１３号の「オートバイの移動サポート装置」を提した。これにより、オートバイを駐車する時、中央スタンダーを該移動サポート装置に放置するだけで該オートバイを簡単に移動することができる。
【先行技術文献】
【特許文献】
【０００６】
【特許文献１】台湾実用新案登録第Ｍ３４３６１３号
【考案の概要】
【考案が解決しようとする課題】
【０００７】
しかしながら、オートバイを駐車する際、使用者は必ず中央スタンダーを使用するのではなく、時々側部スタンダーが使用することがある。更に、数の少ない重型オートバイには、中央スタンダーが設けられないため、このオートバイの移動サポート装置は、更に改良する必要がある。
【０００８】
そこで、案出されたのが本考案であって、オートバイの積載や、車体を便利に移動又は方向転換し易いオートバイの移動サポート装置を提供することを目的としている。
【課題を解決するための手段】
【０００９】
上記課題を解決するために、本願の請求項１の考案は、積載ユニット本体とストッパーをと備えるオートバイの移動サポート装置であって、該積載ユニット本体は、中央に窪みが形成される略Ｕ字形のプレートであり、上部に外側へ延伸する複数の本体延伸部が形成され、各本体延伸部の下側にローラーが設けられ、該ストッパーは該積載ユニット本体における窪みの一側に形成されると共に、中央に切欠部が形成されることを特徴とするオートバイの移動サポート装置、を提供する。
【００１０】
本願の請求項２の考案は、前記積載ユニット本体における窪みの底部に積載プレートが設けられることを特徴とする請求項１に記載のオートバイの移動サポート装置、を提供する。
【００１１】
本願の請求項３の考案は、前記ストッパーの上縁に該切欠部の両側に位置する水平のストッパー延伸部が設けられることを特徴とする請求項１又は２に記載のオートバイの移動サポート装置、を提供する。
【００１２】
本願の請求項４の考案は、前記切欠部に保護カバーが設けられることを特徴とする請求項３に記載のオートバイの移動サポート装置、を提供する。
【００１３】
本願の請求項５の考案は、前記保護カバーは、Ｕ字形構造であり、その外側に内部へ窪む凹部が形成されることを特徴とする請求項４に記載のオートバイの移動サポート装置、を提供する。
【考案の効果】
【００１４】
本考案は上記の課題を解決するものであり、オートバイの車体における側部スタンダーを使用しても、該オートバイを簡単に移動や方向転換することができるので、非常に便利である。
【図面の簡単な説明】
【００１５】
【図１】本考案に係るオートバイの移動サポート装置の斜視図。
【図２】本考案に係るオートバイの移動サポート装置の側面図。
【図３】本考案に係るオートバイの移動サポート装置の使用状態を示す参考図。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１に示すように、本考案に係わるオートバイの移動サポート装置（１）は、積載ユニット本体（１１）とストッパー（１２）を備え、該積載ユニット本体（１１）は、中央に窪み（１１１）が形成される略Ｕ字形のプレートであり、上部に外側へ延伸する複数の本体延伸部（１１２）が形成され、各本体延伸部（１１２）の下側にローラー（１１３）が設けられ、該ストッパー（１２）が該積載ユニット本体（１１）における窪み（１１１）の一側に形成されると共に、中央に切欠部（１２１）が形成され、また、該積載ユニット本体（１１）における窪み（１１１）の底部に積載プレート（１１４）が設けられ、該ストッパー（１２）の上縁に該切欠部（１２１）の両側に位置する水平のストッパー延伸部（１２２）が設けられることにより、該ストッパー（１２）の構造強度を向上する。
【００１８】
更に、前記切欠部（１２１）に保護カバー（１２３）が設けられ、該保護カバー（１２３）は、Ｕ字形構造であり、その外側に内部へ窪む凹部（１２３１）が形成されることにより、該保護カバー（１２３）を該切欠部（１２１）に設置する。
【００１９】
図１乃至図３に示すように、使用者は、オートバイの車体（２）における側部スタンダー（２１）を使用して駐車する時、本願と台湾実用新案登録第Ｍ３４３６１３号に掲示されるものを一緒に使用することにより、オートバイの移動や方向転換を簡単にすることができる。
【００２０】
まず、台湾実用新案登録第Ｍ３４３６１３号に掲示されるオートバイの移動サポート装置（３）における相隣の延伸部（３１１）との距離は、オートバイの車輪の幅より大きいので、車体（２）は、各方向から積載ユニット（３１）へ移動することにより、該オートバーの移動サポート装置（３）の積載ユニット（３１）を車体（２）のタイヤ（２２）の下方に位置することができる。
【００２１】
更に、車体（２）の側部スタンダー（２１）を本願のストッパー（１２）における切欠部（１２１）に位置決め、該切欠部（１２１）に保護カバー（１２３）が設けられるので、該側部スタンダー（２１）を損傷することがなく、又、該側部スタンダー（２１）の下端を該窪み（１１１）における積載プレート（１１４）に位置決めることにより、該側部スタンダー（２１）にて車体（２）を支持する状態で該車体（２）を移動や方向変換することができる。
【００２２】
又、該側部スタンダー（２１）がストッパー（１２）とストッパー延伸部（１２２）の制限にて該切欠部（１２１）に位置決められるので、該車体（２）の移動中、該側部スタンダー（２１）の位置ずれにより車体が傾倒することを防止できる。
【産業上の利用可能性】
【００２３】
本考案は上記の構成を有し、オートバイの車体における側部スタンダーを使用しても、該オートバイを簡単に移動や方向転換することができるので、非常に便利である。
【符号の説明】
【００２４】
１          オートバイの移動サポート装置
１１        積載ユニット本体
１１１      窪み
１１２      本体延伸部
１１３      ローラー
１１４      積載プレート
１２        ストッパー
１２１      切欠部
１２２      ストッパー延伸部
１２３      保護カバー
１２３１    凹部
２          車体
２１        側部スタンダー
２２        タイヤ
３          オートバイの移動サポート装置
３１        積載ユニット
３１１      延伸部
【図１】
0003154686.tif 000003
【図２】
0003154686.tif 000004
【図３】
0003154686.tif 000005